(57)【特許請求の範囲】
【請求項１】
基材の表面に化粧シートを貼着する工程と、
該化粧シートの表面から、その長手方向に沿って間隔をあけて、金型プレスによって押圧し切断して、該化粧シートに仮溝を形成する工程と、
前記仮溝に、前記化粧シートと同色の着色塗料で色塗装する工程と、
前記化粧シートの表面に、下塗り塗装および上塗り塗装する工程と、
プレス金型の断面Ｖ字状のプレス先端縁部を前記化粧シート上の仮溝に沿って位置決めする工程と、
前記プレス金型でプレスして、前記化粧シートの仮溝部分を圧入しつつ、前記基材にプレス溝を形成して、前記化粧シートの切断縁同士で前記プレス溝を被覆し、床材に断面視でＶ溝を加工する工程とを実行し、
化粧用床材の表面にＶ溝を形成する
ことを特徴とする建築用化粧床材の製造方法。
【請求項２】
請求項１の製造方法により得られた建築用化粧床材であって、
基材の表面に化粧シートが貼着されており、
前記基材の表面には、その長手方向に沿って、複数のプレス溝が等間隔に形成されると共に、
前記化粧シートの前記仮溝を形成していた切断縁同士は、前記基材のプレス溝に圧入されると共に被覆し、
化粧用床材の表面にＶ溝が形成されており、
前記Ｖ溝の表面には、前記化粧シートと同色の色塗装が施されている
ことを特徴とする建築用化粧床材。
【発明の詳細な説明】
【０００１】
【発明の属する技術分野】
本発明は、建築用化粧床材の製造方法およびその方法により得られた建築用化粧床材に関する。
【０００２】
【従来の技術】
図６は従来の建築用化粧床材110 の要部拡大断面図である。同図において、符号１は、合板やMDF 等の基材である。この基材１の表面には、表面化粧材として化粧シート２が糊等によって貼着されている。そして、化粧シート２および基材１の表面にはＶ溝103 が形成されている。
Ｖ溝103 を形成させる目的は以下の（１）〜（３）に示すとおりである。
（１）建築用化粧床材同士を施工する際、継目を目立たなくすることができる。
（２）建築用化粧床材の加工寸法の精度や施工時の位置合わせなどを調整することができる。
（３）建築用化粧床材を貼り上げた場合のデザイン性を与えることができる。例えば、Ｖ溝103 の溝巾を1mm と細くしてすっきり見えるようにしたり、3mm〜4mmと太くして大胆に力強く見えるようにしたり、あるいは間隔を等分割にしたり、不揃い分割にしたり工夫することができる。
【０００３】
【発明が解決しようとする課題】
しかるに、従来の建築用化粧床材110 では、その表面にＶ溝103 を形成させるときに丸鋸やチップソーを使用していたので、基材１の表面に切削溝が形成されるとともに、化粧シート２が切断される。化粧シート２は人が歩行するときに直接踏まれるものであるから、化粧シート２の切断縁に足が引掛り、その部分がめくれ上がって、基材１から剥がれやすくなってしまうという問題がある。
【０００４】
本発明はかかる事情に鑑み、床材の表面にＶ溝を形成しても、基材から化粧シートが剥れやすくなるのを防止することができる建築用化粧床材の製造方法および建築用化粧床材を提供することを目的とする。
【０００５】
【課題を解決するための手段】
請求項１の建築用化粧床材の製造方法は、基材の表面に化粧シートを貼着する工程と、該化粧シートの表面から、その長手方向に沿って間隔をあけて、金型プレスによって押圧し切断して、該化粧シートに仮溝を形成する工程と、前記仮溝に、前記化粧シートと同色の着色塗料で色塗装する工程と、前記化粧シートの表面に、下塗り塗装および上塗り塗装する工程と、プレス金型の断面Ｖ字状のプレス先端縁部を前記化粧シート上の仮溝に沿って位置決めする工程と、前記プレス金型でプレスして、前記化粧シートの仮溝部分を圧入しつつ、前記基材にプレス溝を形成して、前記化粧シートの切断縁同士で前記プレス溝を被覆し、床材に断面視でＶ溝を加工する工程とを実行し、化粧用床材の表面にＶ溝を形成することを特徴とする。
請求項２の建築用化粧床材は、請求項１の製造方法により得られた建築用化粧床材であって、基材の表面に化粧シートが貼着されており、前記基材の表面には、その長手方向に沿って、複数のプレス溝が等間隔に形成されると共に、前記化粧シートの前記仮溝を形成していた切断縁同士は、前記基材のプレス溝に圧入されると共に被覆し、化粧用床材の表面にＶ溝が形成されており、前記Ｖ溝の表面には、前記化粧シートと同色の色塗装が施されていることを特徴とする。
【０００６】
請求項１の発明によれば、化粧シートは、基材のプレス溝に圧入される。よって、化粧シートのＶ形部分は人が歩行しても接触しないので剥がれにくくなる。また、化粧シート上に予め形成された仮溝に沿ってＶ溝を形成することができるから、床材の表面にＶ溝を正確に形成することができる。
請求項２の発明によれば、化粧シートの切断縁同士がプレス溝に圧入されると共に被覆しているので、化粧シートの上を人が歩行しても、化粧シートに足が引掛らない。
【０００７】
【発明の実施の形態】
つぎに、本発明の実施形態を図面に基づき説明する。
図５は本実施形態の建築用化粧床材１０の概略斜視図である。同図に示すように、本実施形態の建築用化粧床材１０は、基材１と化粧シート２とから構成されたものである。
【０００８】
基材１は、合板やMDF を使用しうる。
この基材１の表面には、化粧シート２が糊等によって貼着されている。この化粧シート２は、木目柄が印刷されたものなど、その柄に特に限定はない。
【０００９】
基材１および化粧シート２を詳細に説明する。
図１は本実施形態の建築用化粧床材の使用説明図である。同図に示すように、
前記基材１の表面には、その長手方向に沿って、複数のプレス溝１１が等間隔に形成されている。
【００１０】
前記化粧シート２は、前記プレス溝１１に対応する部分で切断されており（後述する仮溝である）、断面視でＶ字状に形成され、Ｖ形部分２１となっている。
化粧シート２の各Ｖ形部分２１は、基材１の各プレス溝１１に圧入されており、建築用化粧床材１０の表面のＶ溝３を構成している。
【００１１】
本実施形態の建築用化粧床材１０によれば、床材の表面のＶ溝３において、化粧シート２におけるＶ字状に形成されたＶ形部分２１が、基材１のプレス溝１１に圧入されている。このため、化粧シート２の上を人が歩行しても、化粧シート２に足が引掛らない。よって、床材の表面にＶ溝３を形成しても、基材１から化粧シート２が剥れやすくなるのを防止することができるという効果を奏する。
【００１２】
つぎに、本実施形態の建築用化粧床材１０の製造工程を説明する。
図２は本実施形態の建築用化粧床材１０の製造工程を示すフローチャートである。図３は基材１および化粧シート２の形状変化説明図である。図２および図３(I) に示すように、基材１の表面に、糊を塗布して、化粧シート２を重ね合わせ、ラミネーターやプレス機などで貼着する（s11）。
【００１３】
基材１の四辺の木口を実加工（s12）する。
なお、基材１が、その四辺に予め実加工してあるものであれば、実加工(12)は省略できる。
【００１４】
そして、図２および図３(II)に示すように、金型プレス等によって化粧シート２の表面を押圧し切断して、化粧シート２の表面にその長手方向に沿って等間隔に、仮溝Ｔを形成する（s13）。この仮溝Ｔは、後工程の圧入Ｖ溝加工の位置基準となる溝である。
【００１５】
化粧シート２と同色の着色塗料で、仮溝Ｔに色塗装する（s14）。
化粧シート２の表面に、塗装材を下塗り塗装（s15）、上塗り塗装する（s16）。
【００１６】
そして、以下の要領で床材の表面を圧入Ｖ溝加工する（s17）。
図４は圧入Ｖ溝加工の説明図である。同図に示すように、プレス金型３１のプレス先端縁を前記化粧シート２上の仮溝Ｔに沿って位置合わせして、この仮溝Ｔの際部が表面より埋まるだけ例えば0.5mm〜1.0mmぐらい圧入する。
すると、図３(III) に示すように、この圧入Ｖ溝加工により、化粧シート２は切断され、その切断縁同士がＶ字状に形成されたＶ形部分２１となるとともに、基材１にはプレス溝１１が形成されて、床材の表面にＶ溝３が形成される。
【００１７】
こうして仕上られたＶ溝３は凹状放物線状に成形され、化粧シート２の切断縁は圧入されているため歩行しても接触しないので剥がれにくくなる。
また、丸みをもった仕上がりになりデザイン的にもソフトな仕上がりの建築用化粧床材１０を製造することができるという効果を奏する。
さらに、プレス金型３１のプレス先端縁部を化粧シート２の仮溝Ｔに押し付けてプレスするから、均一な圧力でＶ溝加工することができるという効果を奏する。
【００１８】
プレス金型３１はヒーターで加温しておくと効率がよい。
【００１９】
上記のごとく、化粧シート２上に予め形成された仮溝Ｔに沿ってＶ溝３を形成することができるから、床材の表面にＶ溝３を正確に形成することができる。
また、圧入Ｖ溝加工(s17) により、床材の表面のＶ溝３において、化粧シート２が切断されてＶ字状に形成されたＶ形部分２１が形成されるとともに、基材にはプレス溝が形成される。よって、化粧シートのＶ形部分が基材１のプレス溝１１に圧入された建築用化粧床材１０を製造することができるという効果を奏する。
【００２０】
【発明の効果】
請求項１の発明によれば、化粧シートは、基材のプレス溝に圧入される。よって、化粧シートのＶ形部分は人が歩行しても接触しないので剥がれにくくなる。また、化粧シート上に予め形成された仮溝に沿ってＶ溝を形成することができるから、床材の表面にＶ溝を正確に形成することができる。
請求項２の発明によれば、化粧シートの切断縁同士がプレス溝に圧入されると共に被覆しているので、化粧シートの上を人が歩行しても、化粧シートに足が引掛らない。
【図面の簡単な説明】
【図１】本実施形態の建築用化粧床材の使用説明図である。
【図２】本実施形態の建築用化粧床材１０の製造工程を示すフローチャートである。
【図３】基材１および化粧シート２の形状変化説明図である。
【図４】圧入Ｖ溝加工の説明図である。
【図５】本実施形態の建築用化粧床材１０の概略斜視図である。
【図６】従来の建築用化粧床材の要部拡大断面図である。
【符号の説明】
１  基材
２  化粧シート
３  Ｖ溝
１０  建築用化粧床材
１１  プレス溝
２１  Ｖ形部分
３１  プレス金型
３２  圧入ロール
S11   糊着工程
S13   仮溝工程
S17   圧入Ｖ溝加工程
Ｔ  仮溝
【図１】
0003592248.tif 000002
【図２】
0003592248.tif 000003
【図３】
0003592248.tif 000004
【図４】
0003592248.tif 000005
【図５】
0003592248.tif 000006
【図６】
0003592248.tif 000007